(57)【要約】本発明は、引き戸（3、4）用の金具、特に家具用の金具であって、ホルダー（15）上に回転可能に取り付けられレール（9）上で支えられた少なくとも１つの脚輪（8）と、該引き戸（3、4）が固定される取り付け部材（6）を備えている。本発明は、脚輪を固定し上記レール（9）から持ち上がることを防ぐための上記脱輪防止装置が上記ホルダー（15）に配置されている。脱輪防止装置は、作動部分（23）を有する回転可能に取り付けられたレバー（10、10´、10“）とロックされた位置にあるときレール（9）の頭部（12）の下に係合するフック部分（11）を備えている。このように、構造をコンパクトにしたままで、金具は確実に固定される。【選択図】  図２
2014517168.tif 000002
【特許請求の範囲】
【請求項１】
引き戸（3、4）用の金具、特に家具用の金具であって、
ホルダー（15）上に回転可能に取り付けられレール（9）上で支えられた少なくとも１つの脚輪（8）と、該引き戸（3、4）が固定される取り付け部材（6）を備え、脚輪を固定し上記レール（9）から持ち上がることを防ぐための上記脱輪防止装置が上記ホルダー（15）に配置されている金具において、
上記脱輪防止装置は、作動部分（23）を有する回転可能に取り付けられたレバー（10、10´、10“）とロックされた位置にあるときレール（9）の頭部（12）の下に係合するフック部分（11）を備えたことを特徴とする引き戸（3、4）用金具。
【請求項２】
上記レバー（10、10´、10“）がロックされた位置で固定され得る請求項１の金具。
【請求項３】
上記脚輪（8）が上記レール（9）から持ちあげ可能であるロック解除位置で上記レバー（10、10´、10“）が固定可能である、請求項１又は２の金具。
【請求項４】
上記レバー（10、10´、10“）に配置された軸（22）が上記作動部分（23）と上記レール（9）の下に係合するフック部分（11）の間に配置されている、請求項１乃至３の何れかに記載の金具。
【請求項５】
上記レバー（10、10´、10“）が、上記ホルダー（6）と接続されている軸受け部材（25、25´、25“）に形成されている軸（21）に回転可能に取り付けられている、請求項１乃至４の何れかに記載の金具。
【請求項６】
調節機構が配設されて、該調節機構によって上記ホルダー（15）の高さ位置が上記取り付け部材（6）に対して調節可能である、請求項１乃至５の何れかに記載の金具。
【請求項７】
上記調節機構はホルダー（15）に回転可能に取り付けられたねじ付きロッド（16）を備え、該ホルダー（15）は上記レバー（10、10´、10“）を回転可能に取り付けるべく、上記軸受け部材（25、25´、25“）に挿通されて案内される、請求項６の金具。
【請求項８】
レバー（10、10´、10“）がプラスチック部分として形成される、請求項１乃至７の何れかに記載の金具。
【請求項９】
レバー（10、10´、10“）をロックされた位置及び/又はロック解除された位置に固定するためのラッチ手段がプラスチック部分と一体に形成されている、請求項８に記載の金具。
【発明の詳細な説明】
【技術分野】
【０００１】
本発明は、引き戸用の金具に関し、特に家具用であって、ホルダー上に回転可能に取り付けられ、レール上に支持された少なくとも１つの脚輪と、その上に引き戸が固定される取り付け要素を備え、上記脚輪を固定し上記脚輪が上記レールから持ち上がることを防ぐための脱輪防止装置が上記ホルダーに配置されている。
【背景技術】
【０００２】
特許文献１には、低側の脚片上にてＣ字形の断面を有するレール上に支持されたローラを含む引き戸用金具が開示されている。高側の脚片上には、脚片の下の突起に係合して、金具のレールからの持ち上がりを防ぐ脱輪防止装置が配置されている。この脱輪防止装置は他のレールに用いられることができないように、Ｃ字形であることが必要となる。
【０００３】
特許文献２には、レール上に脚輪が支持された引き戸用金具が開示されている。上記脚輪上には金属板から作られた弾性レバーが配置され、該弾性レバーは他のレバーによって外側に曲げられる。この場合の弾性レバーは脱輪防止用に、レールの下側に係合するフックを有している。しかし、このレバーの弾性的な構成は、繰り返しの使用後に、レバーがもはやレールの下部に配置されないとの短所を有する。更に、薄壁の金属板としてのレバー構成は、レバーのフック部が強い力で曲げられて、脱輪防止装置がもはや機能しなくなる。
【先行技術文献】
【特許文献】
【０００４】
【特許文献１】ドイツ国実用新案公報第202005007687号
【特許文献２】オーストリア国特許公報第410820号
【発明の概要】
【発明が解決しようとする課題】
【０００５】
それゆえに本発明の目的は、脱輪防止装置が安定して引き戸の持ち上がりを防ぎ、さらに簡単な作動を確実にする引き戸用金具を提供することである。
この目的は請求項１の特徴をもつ金具によって解決される。
【課題を解決するための手段】
【０００６】
本発明によると、脱輪防止装置は作動部分をもつ回転可能に取り付けられたレバーと、ロックされた位置では上記レールの頭部の下に係合するフック部を備えている。回転可能に取り付けられた上記レバーにより、曲げられることにより上記脱輪防止装置の信頼性に影響を与える材料の疲弊を防ぐ。
この場合の回転可能な取り付けにより、ロックされた位置において上記レバーの所定位置を確実にし、加えて上記レバーはフック部を有する安定した構成を備えることができる。
【０００７】
好ましい形態としては、上記レバーはロックされた位置で固定される。これによって不用意な上記レバーの解除を防ぎ、使用者は上記レバーを閉じる際に、上記ロック位置に到達したという視覚的及びもしくは聴覚的な知覚を得る。上記レバーは更に、上記脚輪が上記レールから持ち上がり可能であるロック解除の位置でも固定される。これによってロック解除の位置へ上記レバーが回動した後に、使用者は引き戸にある少なくとも２つの金具をロック解除した後に引き戸をはずすことができる。
【０００８】
好ましい実施形態としては、前記レバーに配置された軸は上記作動部分と上記レールの下に係合するフック部との間に配置されている。これによって、上記レバーは、二つの位置の間で回動可能な「揺りかご」のように構成される。これによりコンパクトな構造が可能となり、短い回動路が配設され得る。上記レバーはこの際、上記ホルダーに接続されている軸受け部材に形成された軸に回転可能に取り付けられ得る。
【０００９】
更なる実施形態によれば、上記ホルダーの位置を組立部材に関して高さ調節できる調節機構が配設される。これによって、上記引き戸を取り付けた後であっても、上記引き戸を配列することができる。
上記調節機構は、好ましくは上記ホルダーに回転可能に支持されたねじ付きロッドを有し、前記ホルダーは軸受け部材を通ってレバーを回転可能に取り付ける。ラッチ手段は、プラスチック部分として構成され得る上記軸受け部材上の他のラッチ手段と協働する。
【００１０】
レバーの安定した構成のために、レバーはプラスチック部分として構成される。この場合、レバーをロック位置及び/又はロック解除位置に固定する少なくとも１つのラッチ手段がプラスチック部分と一体に構成され得る。
【図面の簡単な説明】
【００１１】
本発明は以下に、添付の図面を参照して、幾つかの実施形態によって、詳しく説明される。
【図１】組立位置にある本発明の引き戸用金具の斜視図である。
【図２】ロックされた位置にある図１の引き戸用金具の側面図である。
【図３】ロック解除された位置にある図１の引き戸用金具の側面図である。
【図４Ａ】図１の前方の引き戸用金具の図である。
【図４Ｂ】図１の前方の引き戸用金具の図である。
【図５Ａ】図１の後方の引き戸用金具の図である。
【図５Ｂ】図１の後方の引き戸用金具の図である。
【図６】変更された実施形態に基づいた金具の平面図である。
【図７】図６の金具の脱輪防止装置を示す図である。
【図８】図６の金具の脱輪防止装置を示す図である。
【図９】図６の金具の脱輪防止装置を示す図である。
【図１０】図６の金具の脱輪防止装置を示す図である。
【図１１Ａ】図７乃至図９の脱輪防止装置の軸受け部材を示す図である。
【図１１Ｂ】図７乃至図９の脱輪防止装置の軸受け部材を示す図である。
【図１１Ｃ】図７乃至図９の脱輪防止装置の軸受け部材を示す図である。
【図１２Ａ】変更された金具用の脱輪防止装置の図である。
【図１２Ｂ】変更された金具用の脱輪防止装置の図である。
【図１３Ａ】図１２の脱輪防止装置のレバーの図である。
【図１３Ｂ】図１２の脱輪防止装置のレバーの図である。
【発明を実施するための形態】
【００１２】
家具1は、前方の引き戸3と後方の引き戸4が動けるように取り付けられる家具本体2を有する。このために上記家具本体2の上側に２つのレール9が固定され、レール9の上を金具7の脚輪8が動けるよう取り付けられている。上記前方の引き戸3は角ブラケット5によって上記金具7が固定されている取り付け部材6と連結し、然るに後方の引き戸4は上記金具7に直接接続されている。上記金具7は脱輪防止装置を構成する回転可能に取り付けられたレバー10を備える。
【００１３】
図２は、固定された位置にある上記レバー10を有する上記脱輪防止装置を示しており、上記レバー10のフック部分11が上記レール9の頭部12の下に係合している。上記レール9の上記頭部12は、上記頭部12を支えている垂直の連接骨よりも横断面において幅広に形成されている。
上記レバー10は上方へ突き出ており、利用者から上記レバー10を旋回させるのに用いられる作動部分23を備えている。この場合、上記レバー10は、ロックされた位置（図2）からロック解除された位置（図3）へ旋回されるように軸22の周りに回転可能に支持されている。ロック解除された位置では上記フック部分11は上記レール9の頭部12と隣り合うように配置されており、その結果上記脚輪8のついた上記金具は上記レール9から持ち上げられることができる。
【００１４】
上記レバー10はその上ロックされた位置とロック解除された位置にて固定可能である。このために凹部40の１つの壁を形成するスプリング連接骨41が上記レバー10に一体に形成される。上記凹部40は略８の字型を形成しており、その際軸受け部材のピンが上記凹部40に係合する。上記レバー10を回動させると、上記ピンは上記凹部40のテーパ付きの中央部に挿通して隣の広い領域に入り、そして固定される。上記上記軸受け部分25とレバー10とはこの場合、プラスチック部分として形成されうる。
【００１５】
示された上記家具には、２つの引き戸3と4が配備されている。もちろん、１つまたは複数の平面に摺動可能に支持された、２つ以上の引き戸3と4とすることも可能である。上記レール9は、２つの厚くなった頭部12を形成しており、夫々に１つの引き戸3もしくは引き戸4が脚輪8によって移動可能に支持されている。これによって頭部12の間隔は予め定められており、勿論１つのレール9に２つ以上の頭部12を形成することは可能である。
【００１６】
上記前方の引き戸のための上記金具は図４Ａと図４Ｂに詳しく示されている。上記脚輪8はホルダー15の軸14の周りに回転可能に取り付けられている。上記ホルダー15は上記角ブラケット5に固定された上記取り付け部材6に移動可能に取り付けられている。上記ホルダー15の高さ調節のために、板状の上記取り付け部材6に複数の長穴18が形成され、該長穴は水平方向に対して斜めに配置されている。
上記ホルダー15が固定されたピン17は、該長穴に移動可能に案内される。
上記ホルダー15は、挿入工具21をもつねじ付きロッド16によって変位可能である。上記ねじ付きロッド16はねじ付きスリーブに回転可能に取り付けられており、上記ねじ付きスリーブは垂直方向に移動可能である。このためにピン19が移動可能に案内される垂直な長穴が上記取り付け部材6に形成されている。
上記挿入工具21の回転により上記ねじ付きロッド16が回転し、それにより上記ホルダー15と上記ねじ付きスリーブの間の水平方向の間隔が変えられる。そして水平方向の間隔の変化の際に高さ調整も傾いて配列された長穴18内の案内によって成し遂げられる。
【００１７】
この場合、軸受け部材25がねじ付きロッド16の周りのねじ付きスリーブ上に配置され、上記軸受け部材25は上記ホルダー15と共に高さ移動可能であるように上記取り付け部材6に取り付けられている。従って、高さを調節する際に上記フック部分11は上記脚輪8と相対的に同じ高さに留まって配置される。
上記軸受け部材25にはさらにピン状の突起が、駆動子13として形成され、該駆動子は自動閉鎖式引き出しレールやダンパーやストッパーと噛み合い可能である。高さを調節する際に、上記駆動子13は上記脚輪8と相対的に同じ高さに留まって配列される。
【００１８】
図５Ａと図５Ｂは後方引き戸のための上記金具を示している。板状の取り付け部材6´が後方引き戸4に固定されており、ホルダー15が上記取り付け部材6´に移動可能に取り付けられており、そして長穴18に傾いて配列されたピン17を備えた調節機構とねじ付きロッド16が、以前の実施形態にて説明されたように、配備されている。回転可能なレバー10用の軸受け部材が、ねじ付きロッド16周りのねじ付きスリーブ上に形成されており、高さ調整の際には、軸受け部材は上記ホルダー15と共に相対的に上記取り付け部材6´へ動かされる。その他の部材は前方の引き戸のための上記金具のように形成される。
【００１９】
図６は、変更された脱輪防止装置を備えた金具の平面図を示している。上記金具は前方の引き戸3にも同様の方法で正確に用いられ得る後方の引き戸4の用の板状の取り付け部材6´を備え、第１の実施形態に対応した角ブラケット5が用いられ得る。上記取り付け部材6´にホルダー15が移動可能に取り付けられており、該取り付け部材6´上に脚輪8が軸14の周りに回転可能である。前述の実施例で述べたように、上記ホルダー15は上記取り付け部材6´に対して相対的に高さ調節され得る。
【００２０】
図７乃至図９は、図６の金具の上記脱輪防止装置を詳細に示している。上記脱輪防止装置は軸受け部材25上の軸22の周りに回転可能に取り付けられたレバー10´を有する。上記軸受け部材25からは上記ねじ付きロッド16の挿入工具21が突出しており、上記軸受け部分25は上記ねじ付きロッド16によって挿通されている。
上記レバー10´は、連接骨状に形成され上向きに突き出して使用者から握られる作動部分23を備えている。この場合、上記軸22は上記作動部分23とフック部分11の間に配置される。上記フック部分11はレール9の頭部12の下に係合しており、上記フック部分11の反対側にて上記軸受け部材25上にロック連接骨26が形成されている。上記レバー10´は一体に形成されたスプリングピン27によって上記軸受け部材25上に支えられており、ロックされた位置で予負荷されている。これによって上記フック部分11がロック位置から誤って外れることを防ぐことができる。
【００２１】
図８に示されるように、上記フック部分11がロック解除の位置に動かされるべきときには、上記作動部分23によって上記レバー10´が回動される。そしてラッチ連接骨24は上記レバー10´上の凹部28に係合し固定される。これによって図８と図９に対応するロック解除の位置にて、上記レバー10´は固定される。その際、上記スプリング連接骨27は曲げられ、上記レバー10´をロック位置の方向へ予負荷されている。
図１０は上記レバー10´を詳細に示している。上記レバー10´はプラスチック部分として形成されており、上記スプリング連接骨27は一体に形成されている。
【００２２】
図１１Ａ乃至図１１Ｃは、上記レバー10´用の上記軸受け部分25を詳細に示している。上記軸受け部分25は上記ねじロッド16を挿通するための貫通孔29をもつ。さらにラッチ連接骨24とロック連接骨26が上記軸受け部分25と一体に形されている。
【００２３】
図１２Ａと図１２Ｂでは、前述の実施形態の１つの金具に用いられる変更された脱輪防止装置が示されている。上記脱輪防止装置は軸受け25“上の軸22の周りに回転可能に取り付けられたレバー10“を有する。上記レバー10“はフック部分11と上記軸22への反対側の作動部分23を備える。Ｕ字型に形成されたスプリング連接骨32が上記レバー10“と一体に形成されて、レバー10“の端に厚くなった頭部33が配置されている。上記頭部33は連接骨30にあるラッチ容器31に係止される。この場合、ロック解除の位置とロック位置に対応する２つのラッチ容器31が互いに間隔をもって形成されている。これによって、レバー10“が回動してロックされた位置とロック解除の位置に固定されることができる。
【００２４】
上記軸受け部材25“にはそれゆえ２つのラッチ容器31を有する連接骨30が形成され、厚い端部33のある上記スプリング連接骨32が上記レバー10“に形成される。
示された実施形態において、上記レバー10、10´、10“をロック解除位置及び/又はロック位置に固定するためのそれぞれ違ったラッチ機構が示されている。上記レバー10、10´、10“を他のラッチ手段や機構によって固定することも当然可能である。
【符号の説明】
【００２５】
1    家具
2    家具本体
3    前方の引き戸
4    後方の引き戸
5    角ブラケット
6    取り付け部材
6´  取り付け部材
7    金具
8    脚輪
9    レール
10    レバー
10´  レバー
10“  レバー
11    フック部分
12    頭部
13    駆動子
14    軸
15    ホルダー
16    ねじ付きロッド
17    ピン
18    長穴
21    挿入工具
22    軸
23    作動部分
24    ラッチ連接骨
25    軸受け部材
25´  軸受け部材
25“  軸受け部材
26    ロック連接骨
27    スプリング連接骨
28    凹部
29    貫通孔
30    連接骨
31    ラッチ容器
32    スプリング連接骨
33    厚くなった部分／頭部
40    凹部
41    スプリング連接骨
【図１】
2014517168.tif 000003
【図２】
2014517168.tif 000004
【図３】
2014517168.tif 000005
【図４Ａ】
2014517168.tif 000006
【図４Ｂ】
2014517168.tif 000007
【図５Ａ】
2014517168.tif 000008
【図５Ｂ】
2014517168.tif 000009
【図６】
2014517168.tif 000010
【図７】
2014517168.tif 000011
【図８】
2014517168.tif 000012
【図９】
2014517168.tif 000013
【図１０】
2014517168.tif 000014
【図１１Ａ】
2014517168.tif 000015
【図１１Ｂ】
2014517168.tif 000016
【図１１Ｃ】
2014517168.tif 000017
【図１２Ａ】
2014517168.tif 000018
【図１２Ｂ】
2014517168.tif 000019
【図１３Ａ】
2014517168.tif 000020
【図１３Ｂ】
2014517168.tif 000021
【国際調査報告】
2014517168.tif 000022
2014517168.tif 000023
2014517168.tif 000024
2014517168.tif 000025
2014517168.tif 000026
2014517168.tif 000027